(57)【要約】      （修正有）【課題】オンラインサービスによる音声応答システムを持つスマートフォンに於いて、スリープ状態から起動し、アプリケーションを起動するという操作を、手を煩わすことなしに実現する。【解決手段】話者照合機能及び音声認識機能を持たせ、ユーザーの肉声による起動命令コマンド及び所在質問コマンドの音声を、ユーザー自身が事前に機器に登録し、この声紋をテンプレートとする。スマートフォンがスリープモード中の時に、機器のマイクを通して周囲の音声を常時モニターさせておき、テンプレートに合致するユーザーの音声コマンドを検知したとき、これが起動コマンドであれば返答しつつスマートフォンを起動し、同時にオンラインによる音声応答サービスのアプリケーションを起動する。また、所在質問コマンドの声紋であれば、ＬＥＤモニターランプやスクリーンを光らせつつ音を発して、当該スマートフォンの所在をユーザーに知らせる。【選択図】なし【特許請求の範囲】
【請求項１】
スマートフォンやタブレットＰＣ等のモバイル通信機器に於いて、スリープモード中に作動する話者照合及び音声認識機能を持たせ、ユーザーの発話による起動コマンドの音声をユーザー自身に事前に登録させ、この声紋をテンプレートとし、当該機器のスリープモード中に機器のマイクを通して周囲の音声を常時モニターさせ、テンプレートと一致する声紋を検出したとき当該機器を起動する、モバイル通信機器の音声起動方法。
【請求項２】
モバイル通信機器のＣＰＵまたは基板上に、スリープモード中に低消費電力で駆動を続ける回路を設け、これに音声起動機能を担わせる、請求項１の音声起動方法。
【請求項３】
請求項１のモバイル通信機器に於いて、これがロックモードにあるとき、事前に登録したユーザーの声紋テンプレートと起動を命じるコマンド音声との一致によってロックモードを解除する、請求項１及び請求項２の音声起動方法。
【請求項４】
請求項１のモバイル通信機器に於いて、これがロックモードにあるとき、音声によってユーザーに手動でロックを解除するように告げる、請求項１及び請求項２の音声起動方法。
【請求項５】
請求項１のモバイル通信機器に於いて、起動コマンドの声紋のほかに、当該機器の所在を尋ねる音声コマンドの声紋をテンプレートとし、就寝中などの暗中に於いて、或いは置き場所が不明の時などにこの音声コマンドに反応し、ＬＥＤモニターランプやスクリーンを光らせつつ音を発して機器の所在を知らせる機能を併せ持つ、請求項１，請求項２、請求項３、請求項４の音声起動方法。
【請求項６】
請求項１のモバイル通信機器に於いて、これが基板上或いはオンラインによる音声応答機能を持つとき、音声コマンドによって当該機器が起動した後、シームレスに機器の音声応答機能に切り替わるようにした、請求項１、請求項２、請求項３の音声起動方法。
【発明の詳細な説明】
【技術分野】
【０００１】  本発明は、スマートフォン、タブレットＰＣ等のモバイル通信機器の、スリープモードからの起動方法に関するものであり、ユーザーが物理的操作によらず、音声によりモバイル通信機器を操作する環境を補完するものである。
【背景技術】
【０００２】  スマートフォンに於いては、オンラインサービスにより音声による応答、対話によってウェブの検索やアプリケーションの操作等のサービスを行うシステムが一般化しつつあるが、スリープモードからの起動に始まり音声応答のアプリケーションを起動するまでは、一連の物理的操作を行わなければならない。
【発明の開示】
【発明が解決しようとする課題】
【０００３】  モバイル通信機器に於いては、省電力の為や誤動作防止の為、スリープモード中は自動的なデータ通信と着信呼び出し以外には反応しない。またロックモード中であれば、手動でこれを解除しなければならない。しかし、車両等の運転中や作業中に素早くスマートフォン等のモバイル通信機器を操作したい時、音声で起動できれば便利であるし、置き場所が分からないとき、また就寝時のような暗中に於いて、音声に反応して所在が分かれば便利である。ましてオンラインによる音声応答システムが使えるのであれば、物理的に起動せずとも呼びかけるだけでも起動し、音声で応答してくれると更に便利である。
【課題を解決するための手段】
【０００４】  この課題を解決するために、請求項１に於いて、スマートフォンやタブレットＰＣ等のモバイル通信機器に、スリープモード中に作動する話者照合及び音声認識機能を持たせ、これにユーザーの肉声による起動コマンドの声紋を登録させてテンプレートとし、当該機器のスリープモード中に機器のマイクを通して周囲の音声を常時モニターさせ、テンプレートに合致する声紋を検出した時、これを起動コマンドと判断して音声で返答しつつ当該機器をスリープモードから起動せしめるようにする。【０００５】  上記の機能を当該機器の回路に付与する際、常時音声をモニターすることによる電池の消耗を抑制する必要がある場合、機器のＣＰＵの一部に低消費電力で駆動する回路を設けるか、または基板上に低消費電力で作動するＩＣを組み込んで、上記機能を担わせることを請求項２で提示した。【０００６】  また、本発明による音声起動方法を持つモバイル通信機器がロックモード中の時には、当該機器が音声によってユーザーに手動でロックを解除するよう告げるか，もしくは事前に機器に登録したユーザーの音声コマンドの声紋テンプレートと、起動コマンドの音声との話者照合の一致を持ってロックを解除せしめることとする。【０００７】  また、就寝中などの暗所に於いて，或いは機器の置き場所が分からなくなった時など、声をかければ反応して音と光で位置を知らせてくれれば便利である。そこで起動コマンドの声紋のほかに、当該機器の所在を尋ねる音声コマンドの声紋を登録しておき、この音声コマンドに反応してＬＥＤモニターランプやスクリーンを光らせつつ音を発して機器の所在を知らせる機能を、請求項５によって提示した。【０００８】  さらにまた、スリープモード中に低消費電力で稼働する音声起動専用の回路を有する請求項２のモバイル通信機器が、本体回路上乃至オンラインサービスによる音声応答機能を有する場合、音声コマンドによって起動したとき同時に本体の音声応答機能のアプリケーションを自動的に起動し、シームレスに本体の音声応答機能に音声応答を引き継ぐ機能を、請求項６によって提示した。
【発明の効果】
【０００９】  オンラインサービスによる音声応答システムを持つスマートフォンを使用するとき、手指で操作することなく音声による対話で操作できるので、作業中など手が離せないときなどは誠に便利であるが、スリープモード中は手動で起動しなければならない。【００１０】  このようなとき、声で呼びかけるだけで起動し、そのまま音声での対話のみで操作できなければ、こうした音声応答システムは万全とは言えない。さらにまた当該機器がロックモード中であるとき、いちいち手動で解除せずとも事前に機器に登録したユーザーの音声コマンドを話者照合して生体認証とし、これによってロック解除できればさらに便利である。【００１１】  また機器が見当たらないとき、声による呼びかけに反応して光や音で置き場所を知らせてくれる機能があれば、わざわざ着信音を鳴らすような手間が省けることも多く、日常生活の中では助けられることの多い機能である。
【発明を実施するための最良の形態】
【００１２】  オンラインによる音声応答サービス機能を持つスマートフォンのＣＰＵまたは基板上に、低消費電力で作動する回路を構成し、これに話者照合機能及び音声認識機能を持たせ、ユーザーの肉声による起動命令コマンド及び所在質問コマンドの音声を、ユーザー自身が事前に当該機器に登録し、この声紋をテンプレートとする。【００１３】  当該スマートフォンがスリープモード中の時に、機器のマイクを通して周囲の音声を常時モニターさせておき、テンプレートに合致するユーザーの音声コマンドを検知したとき、これが起動命令コマンドの声紋であれば返答しつつスマートフォンを起動し、同時にオンラインによる音声応答サービスのアプリケーションを起動する。【００１４】  また、所在質問コマンドの声紋であれば、ＬＥＤモニターランプやスクリーンを光らせつつ音を発して当該スマートフォンの所在をユーザーに知らせる。【００１５】  以上のように、話者照合及び音声認識による起動システムで、スマートフォンのオンラインサービスによる音声応答システムを補完することにより、スマートフォンに個人用の秘書としての機能を与えることができるのである。